(57)【要約】【課題】蝶番の枢軸となるピンを使用せずに少ない工数で、簡単に低コストで製造することができるゲーム機用蝶番を提供する。【解決手段】ゲーム機の筐体７と前扉８の下部に固定され、筐体に固定される蝶番固定部１の水平板部１１と、前扉の下部に固定される蝶番可動部２の水平板部２１を、重ね合わせて回動可能に組み付けられるゲーム機用蝶番である。蝶番固定部１の水平板部１１に嵌合枢支部１３がプレス加工により形成され、蝶番可動部２には嵌合枢支部１３に回動可能に嵌入される嵌入枢支部２３がプレス加工により形成される。嵌合枢支部１３には、円筒部１４が上方に突出して形成され、嵌入枢支部２３には、その円筒部１４内に回動可能に嵌合する円形凸部２４が下方に向けて形成される。また、円形凸部２４の周囲にその円筒部１４が回動可能に嵌合する環状溝２５が下方に向けて形成される。【選択図】図１
2005021637.tif 000002
【特許請求の範囲】
【請求項１】
ゲーム機の筐体と前扉の下部に固定され、該筐体に固定される蝶番固定部の水平板部と、該前扉の下部に固定される蝶番可動部の水平板部を、重ね合わせて回動可能に組み付けられるゲーム機用蝶番において、
該蝶番固定部の水平板部に嵌合枢支部がプレス加工により形成され、該蝶番可動部には該嵌合枢支部に回動可能に嵌入される嵌入枢支部がプレス加工により形成され、該嵌合枢支部には、円筒部が上方に突出して形成され、該嵌入枢支部には、該円筒部内に回動可能に嵌合される円形凸部が下方に向けて形成されると共に、該円形凸部の周囲に該円筒部が回動可能に嵌合する環状溝が下方に向けて形成されたことを特徴とするゲーム機用蝶番。
【請求項２】
前記蝶番固定部の嵌合枢支部における円筒部の周囲に円形の座部が該水平板部の上面より上方に突出して形成されたことを特徴とする請求項１記載のゲーム機用蝶番。
【請求項３】
前記蝶番可動部の嵌入枢支部に下方に向けて形成される円形凸部の先端が、該蝶番可動部の水平板部の下面と同じレベルに形成されたことを特徴とする請求項１記載のゲーム機用蝶番。
【請求項４】
ゲーム機の筐体と前扉の下部に固定され、該筐体に固定される蝶番固定部の水平板部と、該前扉の下部に固定される蝶番可動部の水平板部を、重ね合わせて回動可能に組み付けられるゲーム機用蝶番において、
該蝶番固定部の水平板部に嵌入枢支部がプレス加工により形成され、該蝶番可動部には該嵌入枢支部に回動可能に嵌入される嵌合枢支部がプレス加工により形成され、該嵌合枢支部には、円筒部が下方に突出して形成され、該嵌入枢支部には、該円筒部内に回動可能に嵌合される円形凸部が上方に向けて形成されると共に、該円形凸部の周囲に該円筒部が回動可能に嵌合する環状溝が上方に向けて形成されたことを特徴とするゲーム機用蝶番。
【請求項５】
前記蝶番固定部の嵌入枢支部における環状溝の周囲に円形の座部が該蝶番固定部の水平板部の上面より上方に突出して形成されたことを特徴とする請求項４記載のゲーム機用蝶番。
【請求項６】
前記蝶番固定部の嵌入枢支部に上方に向けて形成される円形凸部の先端が、該蝶番固定部の水平板部の上面と同じレベルに形成されたことを特徴とする請求項４記載のゲーム機用蝶番。                                                                       
【発明の詳細な説明】
【技術分野】
【０００１】
本発明は、スロットマシン、パチンコ機などのゲーム機の前扉（前枠）を筐体（本体枠）に対し開閉可能に取り付ける着脱式のゲーム機用蝶番に関し、特に前扉と筐体の下部に固定される蝶番に関する。
【背景技術】
【０００２】
従来、パチンコ機などのゲーム機の前枠を本体枠に対し開閉自在に取り付ける蝶番として、上部に取り付けられる上部蝶番と下部に取り付けられる下部蝶番からなる構造の蝶番が、通常使用されている。この蝶番は、上部蝶番、下部蝶番共に固定部と可動部とに分かれて形成され、ピンと軸受部の嵌合により可動部側が固定部側に対し回動可能に支持される。つまり、上部蝶番の固定部は本体枠の上角部に固定され、上部蝶番の可動部は前枠の上角部に固定され、下部蝶番の固定部は本体枠の下角部に固定され、下部蝶番の可動部は前枠の下角部に固定されて使用される。
【０００３】
このようなゲーム機用蝶番における前枠と本体枠の下部に固定される蝶番として、従来、本体枠に固定される蝶番固定部の水平板部上にピンが突設され、前枠に固定される蝶番可動部の水平板部に、ピンが嵌合される軸受孔が穿設され、蝶番固定部の水平板部上に蝶番可動部の水平板部を重ね合わせるようにそのピンを軸受孔に嵌合させて組み付ける構造の蝶番が、使用されている（例えば、下記特許文献１などを参照）。
【特許文献１】実公平７−１０７９６号公報
【発明の開示】
【発明が解決しようとする課題】
【０００４】
この種の蝶番は、比較的構造が簡単で、鋼板を主な材料にして比較的低コストで製造できるという利点があったが、蝶番の枢軸となるピンが別部品として必要となる点、そのピンを蝶番固定部の水平板部に突出して固定する工程を必要とする点などで、やはりコスト高となる課題があり、更なるコストの削減が要望されていた。
【０００５】
本発明は、上記の点に鑑みてなされたもので、蝶番の枢軸となるピンを使用せずに少ない工数で、簡単に低コストで製造することができるゲーム機用蝶番を提供することを目的とする。
【課題を解決するための手段】
【０００６】
上記目的を達成するために、本発明のゲーム機用蝶番は、ゲーム機の筐体と前扉の下部に固定され、筐体に固定される蝶番固定部の水平板部と、前扉の下部に固定される蝶番可動部の水平板部を、重ね合わせて回動可能に組み付けられるゲーム機用蝶番において、蝶番固定部の水平板部に嵌合枢支部がプレス加工により形成され、蝶番可動部には嵌合枢支部に回動可能に嵌入される嵌入枢支部がプレス加工により形成され、嵌合枢支部には、円筒部が上方に突出して形成され、嵌入枢支部には、その円筒部内に回動可能に嵌合する円形凸部が下方に向けて形成されると共に、円形凸部の周囲にその円筒部が回動可能に嵌合する環状溝が下方に向けて形成されたことを特徴とする。
【０００７】
ここで、上記蝶番固定部の嵌合枢支部における円筒部の周囲に、水平板部の上面より上方に突出した座部を形成することができる。
【発明の効果】
【０００８】
上記構成のゲーム機用蝶番は、ゲーム機の筐体の内側下部に蝶番固定部が固定され、前扉の内側下部に蝶番可動部が固定されて使用される。そして、前扉を筐体に対し開閉可能に組み付ける場合、前扉を持って蝶番可動部の水平板部を蝶番固定部の水平板部に重ね合わせるように位置させ、蝶番可動部の嵌入枢支部の円形凸部を、蝶番固定部の嵌合枢支部の円筒部内に嵌め込み、嵌入枢支部の環状溝を円筒部の先端に嵌め込むように、筐体側の蝶番固定部の嵌合枢支部と前扉側の蝶番可動部の嵌入枢支部を嵌合させる。なお、筐体の上部と前扉の上部には別の分離型の蝶番が取り付けられる。これにより、蝶番可動部は蝶番固定部に対し嵌合枢支部と嵌入枢支部を介して回動自在に組み付けられ、蝶番可動部が固定された前扉を筐体に対し開閉可能に装着される。
【０００９】
このような構成の蝶番は、蝶番固定部、蝶番可動部共に、鋼板を材料としてプレス加工のみにより極めて少ない工数で、簡単に製作することができ、枢軸としてピンを固定する従来のものに比べ、製造コストを削減することができると共に、嵌合部の軸と直角方向に印加されるせん断力に対する耐せん断強度を向上させることができる。
【００１０】
また、蝶番固定部の嵌合枢支部と蝶番可動部の嵌入枢支部の嵌合は、嵌合枢支部の円筒部内に嵌入枢支部の円形凸部が嵌入し、且つ円筒部の先端が嵌入枢支部の環状溝に嵌入してなされるため、蝶番可動部は蝶番固定部に対しがたつきなく良好に回動支持することが可能となる。また、嵌合枢支部と嵌入枢支部の嵌合は、従来の軸ピンと孔の嵌合に比べ、組み付ける際、格段に嵌合が容易となり、蝶番固定部と蝶番可動部の組み付けを簡単に行うことができる。さらに、蝶番固定部の嵌合枢支部における円筒部の周囲に、水平板部の上面より上方に突出した円形の座部を形成すれば、さらに円滑に蝶番可動部を回動させることが可能となる。
【発明を実施するための最良の形態】
【００１１】
以下、本発明の実施の形態を図面に基づいて説明する。図１、図２はパチンコ機などのゲーム機の筐体７と前扉８の下部に取り付けられて使用されるゲーム機用蝶番の正面図、右側面図を示している。この蝶番は、筐体７に固定される蝶番固定部１と前扉８に固定される蝶番可動部２とから構成され、蝶番固定部１の水平板部１１に嵌合枢支部１３がプレス加工により形成され、蝶番可動部２には嵌合枢支部１３に回動可能に嵌入される嵌入枢支部２３がプレス加工により形成されている。
【００１２】
蝶番固定部１は、図３〜図５に示すように、鋼板を左側に、垂直取付部１２を垂直に立ち上げるように曲折し、水平板部１１の前部に嵌合枢支部１３を形成している。水平板部１１と垂直取付部１２には取付ねじを挿入するための取付孔が穿設され、筐体７の取り付けられる際には、水平板部１１と垂直取付部１２が取付固定面となる。水平板部１１の前部に設けた嵌合枢支部１３には、中央に孔１５を設けた円筒部１４が、上方に突出するように形成され、円筒部１４の周囲には、水平板部１１の上面より少し高い位置に、円形の座部１６が形成されている。これらは全てプレス加工により、特に嵌合枢支部１３と嵌入枢支部２３はプレスの２段絞りにより簡単に形成することができる。
【００１３】
一方、蝶番可動部２は、図６〜図８に示すように、鋼板をプレス加工により曲折して形成され、略三角形状に形成された水平板部２１の後部に、垂直取付部２２を垂直に立ち上げるように曲折され、水平板部２１の前部に嵌入枢支部２３を形成している。この嵌入枢支部２３の中央には、上記蝶番固定部１の嵌合枢支部１３の円筒部１４内にガタツキなく密に回動可能に嵌合する円形凸部２４が下方に向けて形成されると共に、円形凸部２４の周囲にその円筒部１４が回動可能に嵌合する環状溝２５が下方に向けて形成されている。
【００１４】
つまり、環状溝２５は嵌入枢支部２３の下面側に開口して形成され、環状溝２５の中心位置に円形凸部２４が下向きに突設されている。また、環状溝２５の内径と外径は、それが円筒部１４の先端に嵌め込まれた状態で、蝶番可動部２の嵌入枢支部２３がガタツキなく良好に回動するように設定されている。
【００１５】
上記のように構成された蝶番固定部１は、図１，２または図９〜図１２に示すように、その水平板部１１と垂直取付部１２をゲーム機の筐体７の内側の左側下部の取付面に当て、その嵌合枢支部１３を前方に出した状態で、そこに設けた取付孔と固定ねじを用いて、ゲーム機の筐体７側に固定される。
【００１６】
一方、蝶番可動部２は、その水平板部２１をゲーム機の前扉８の左側下部の底面に当てると共に、その垂直取付部２２を前扉８の左側下部の内側に当て、その垂直取付部２２に穿設した取付孔及び固定ねじを用いて、その嵌入枢支部２３を前方に出して固定される。
【００１７】
そして、筐体７の上部と前扉８の上部には、別の分離形蝶番が取り付けられ、前扉８を筐体７に対し装着する場合、例えば前扉８を持ち筐体７に対し所定角度開いた状態で、先ず蝶番可動部２の嵌入枢支部２３を蝶番固定部１の嵌合枢支部１３に嵌め込み、次に図示しない上部の分離形蝶番の可動部を固定部に嵌め込むようにする。本下部蝶番における蝶番可動部２の嵌入枢支部２３を蝶番固定部１の嵌合枢支部１３に嵌め込む際、蝶番可動部２の嵌入枢支部２３の円形凸部２４を、蝶番固定部１の嵌合枢支部１３の孔１５に上から挿入するように操作すれば、蝶番可動部２の嵌入枢支部２３の環状溝２５が蝶番固定部１の嵌合枢支部１３の円筒部１４の先端に容易に且つ正確に嵌め込まれ、蝶番の組み付けを簡単に且つ迅速に行なうことができる。
【００１８】
そして、蝶番可動部２の嵌入枢支部２３を蝶番固定部１の嵌合枢支部１３に嵌め込んだ状態においては、蝶番可動部２の円形凸部２４が蝶番固定部１の円筒部１４の孔１５に回動可能に嵌合し、環状溝２５が円筒部１４に回動可能に嵌合して、前扉８に固定された蝶番可動部２は、筐体７に固定された蝶番固定部１に対し、円筒部１４、円形凸部２４、環状溝２５の中心軸を軸にして、良好に回動することができる。
【００１９】
また、このように蝶番可動部２の嵌入枢支部２３と蝶番固定部１の嵌合枢支部１３とを組み付けた状態で、蝶番可動部２側の荷重の殆どは、蝶番固定部１の嵌合枢支部１３の座部１６で受けられ、座部１６が嵌合枢支部１３の周囲に円形に形成されているから、蝶番可動部２を全ての回動角度においてスムーズに回動させることができる。
【００２０】
さらに、蝶番可動部２の円形凸部２４が蝶番固定部１の円筒部１４の孔１５に回動可能に嵌合し、環状溝２５が円筒部１４に回動可能に嵌合して組み付けられるから、従来の単純なピンと孔との嵌合による組み付けに比べ、軸と直角方向に印加されるせん断力に対する嵌合部の強度は非常に大きくなり、耐せん断強度を向上させることができる。
【００２１】
図１３，１４は他の実施態様の蝶番可動部４を示している。この例の蝶番可動部４の円形凸部４４の先端は、図１３に示すように、その水平板部４１の下面と同じレベルとなるように、つまり先端がその下面から突出せずに同じ水平位置になるように形成されている。円形凸部４４の周囲には、上記と同様に、環状溝４５が形成されている。
【００２２】
このような構造の蝶番可動部４は、上記と同じ蝶番固定部１の嵌合枢支部１３に、その嵌入枢支部４３を嵌め込むようにして組み付けるが、図１４に示すように、組み付ける際、蝶番可動部４を取り付けた前扉を持ってその位置を微妙に動かしながら、嵌合枢支部１３の円筒部１４に、蝶番可動部２の嵌入枢支部４３の円形凸部４４を嵌め込むことになる。
【００２３】
このとき、蝶番可動部４の嵌入枢支部４３の円形凸部４４の先端がその水平板部４１の下面と同じレベルに設定されていると、図１４のように、その嵌入枢支部４３を蝶番固定部１の嵌合枢支部１３の円筒部１４上に載せて自在に移動することができる。つまり、円形凸部４４が水平板部４１の下面から下方に突き出していないため、円筒部１４などに突き当たることがなく、また、円形凸部４４の先端が下面位置と同じレベルであるから、円筒部１４の上で滑らせて移動させることができる。したがって、蝶番可動部４を取り付けた前扉を持って、その位置を微妙に動かしながら、蝶番可動部２の嵌入枢支部４３の円形凸部４４を、嵌合枢支部１３の円筒部１４に、容易に嵌め込むことができる。
【００２４】
さらに、図１５は他の実施形態の蝶番の断面付き正面図を示している。この蝶番は、上記実施形態とは反対に、蝶番固定部５に嵌入枢支部５３を設け、蝶番可動部６に嵌合枢支部６３を設け、嵌合枢支部６３と嵌入枢支部５３の上下関係を上記とは逆にしている。つまり、円筒部６４が形成された嵌合枢支部６３が上に、円形凸部５４が形成された嵌入枢支部５３が下に配置される。この場合、嵌合枢支部６３の円筒部６４は水平板部６１の下方に突出して形成され、嵌入枢支部５３の円形凸部５４は水平板部５１の上方に向けて形成され、円形凸部５４の周囲の環状溝５５は上方に向けて形成される。また、嵌入枢支部５３の環状溝５５の周囲に円形の座部５６が、水平板部５１の上面より上に突出して形成され、嵌入枢支部５３の円形凸部５４の先端は、水平板部５１の上面と、またはその座部５６と同じレベル位置に形成されている。
【００２５】
このように、嵌合枢支部６３と嵌入枢支部５３の上下関係を上記実施形態とは逆にした場合でも、図１５に示すように、蝶番可動部６の嵌合枢支部６３の円筒部６４を、蝶番固定部５の嵌入枢支部５３の円形凸部５４の周囲の環状溝５５に、容易に嵌め込むことができ、上記実施形態と同様な作用効果が得られるものである。
【００２６】
以上説明したように、本発明のゲーム機用蝶番によれば、枢軸としてピンを使用しないため、蝶番固定部、蝶番可動部共に、鋼板を材料としてプレス加工のみにより極めて少ない工数で、簡単に製作することができ、枢軸としてピンを固定する従来のものに比べ、製造コストを削減することができると共に、嵌合部の軸と直角方向に印加されるせん断力に対する耐せん断強度を向上させることができる。
【００２７】
また、従来の軸ピンと孔を嵌合させる蝶番では、嵌合した軸ピンの先端部が突出して、蝶番の外観を悪化させたり、他のものとの干渉の虞があったが、嵌合枢支部と嵌入枢支部の嵌合では、そのような突出部による不具合を解消することができる。
【００２８】
また、嵌合枢支部と嵌入枢支部の嵌合は、嵌合枢支部または嵌入枢支部の円筒部内に嵌入枢支部または嵌合枢支部の円形凸部が嵌入し、且つ円筒部の先端が嵌入枢支部の環状溝に嵌入してなされるため、蝶番可動部は蝶番固定部に対しがたつきなく良好に回動支持することが可能となる。
【００２９】
また、嵌合枢支部における円筒部の周囲に、または嵌入枢支部における環状溝の周囲に、水平板部の合わせ面より突出した円形の座部を形成すれば、さらに円滑に蝶番可動部を回動させることが可能となる。
【００３０】
さらに、蝶番可動部の嵌入枢支部の円形凸部の先端を、その水平板部の下面と同じレベルに形成し、或いは蝶番固定部の嵌入枢支部の円形凸部の先端を、その座部と同じレベルに形成すれば、蝶番固定部と蝶番可動部の組付けをさらに容易に行なうことができる。
【図面の簡単な説明】
【００３１】
【図１】本発明の一実施形態を示すゲーム機用蝶番の正面図である。
【図２】同蝶番の右側面図である。
【図３】蝶番固定部の平面図である。
【図４】蝶番固定部の右側面図である。
【図５】蝶番固定部の図３のV-V断面付きの正面図である。
【図６】蝶番可動部の右側面図である。
【図７】蝶番可動部の平面図である。
【図８】蝶番可動部の図７のVIII-VIII断面付き正面図である。
【図９】蝶番固定部１に対し蝶番可動部２を閉じた状態の平面図である。蝶番可動部の背面図である。
【図１０】蝶番固定部１に対し蝶番可動部２を閉じた状態の斜視図である。番可動部１０の斜視図である。
【図１１】蝶番固定部１に対し蝶番可動部２を開いた状態の平面図である。
【図１２】蝶番固定部１に対し蝶番可動部２を開いた状態の斜視図である。
【図１３】他の実施形態の蝶番可動部４の断面付き正面図である。
【図１４】蝶番可動部４と蝶番固定部１を組み付ける際の動きを示す断面付き正面図である。
【図１５】他の実施形態の蝶番可動部６と蝶番固定部５を組み付けた状態の断面付き正面図である。
【符号の説明】
【００３２】
１−蝶番固定部
２−蝶番可動部
１１−水平板部
１２−垂直取付部
１３−嵌合枢支部
１４−円筒部
１５−孔
１６−座部
２１−水平板部
２２−垂直取付部
２３−嵌入枢支部
２４−円形凸部
２５−環状溝                                                                        
【図１】
2005021637.tif 000003
【図２】
2005021637.tif 000004
【図３】
2005021637.tif 000005
【図４】
2005021637.tif 000006
【図５】
2005021637.tif 000007
【図６】
2005021637.tif 000008
【図７】
2005021637.tif 000009
【図８】
2005021637.tif 000010
【図９】
2005021637.tif 000011
【図１０】
2005021637.tif 000012
【図１１】
2005021637.tif 000013
【図１２】
2005021637.tif 000014
【図１３】
2005021637.tif 000015
【図１４】
2005021637.tif 000016
【図１５】
2005021637.tif 000017